(57)【要約】【課題】画像データを記憶する画像データ記憶手段の第三者持ち出しや不用意な脱着を簡単な構成で防止して、画像データのセキュリティが維持できて、画像データの破損や消失することなく高品質の画像形成が行われる低コストの画像形成装置を提供する。【解決手段】トナー画像を被転写体（Ｐ）に転写してトナー画像を形成するトナー画像形成手段１と、トナー画像形成手段１で形成されるトナー画像の画像データを記憶する着脱可能なユニットからなる画像データ記憶ユニット２と、画像データ記憶ユニット２に装着されて画像データを記憶する画像データ記憶手段３と、画像データ記憶手段３を画像データ記憶ユニット２に対して解除可能に着脱を禁止する着脱禁止手段４と、着脱禁止手段４の着脱禁止又はその着脱禁止を解除する着脱解除暗号を入力する着脱解除暗号入力手段５とからなる。【選択図】　　　図１
2004106207.tif 000002
【特許請求の範囲】
【請求項１】
画像データを保存、又は、その画像データで被転写体にトナー画像を形成する画像形成装置において、トナー画像を被転写体に転写してトナー画像を形成するトナー画像形成手段と、上記トナー画像形成手段で形成されるトナー画像の画像データを記憶する着脱可能なユニットからなる画像データ記憶ユニットと、上記画像データ記憶ユニットに装着されて画像データを記憶する画像データ記憶手段と、上記画像データ記憶手段を上記画像データ記憶ユニットに対して解除可能に着脱を禁止する着脱禁止手段と、上記着脱禁止手段の着脱禁止又はその着脱禁止を解除する着脱解除暗号を入力する着脱解除暗号入力手段とからなることを特徴とする画像形成装置。
【請求項２】
請求項１に記載の画像形成装置において、トナー画像形成手段は、電子写真方法でトナー画像を形成することを特徴とする画像形成装置。
【請求項３】
請求項１又は２に記載の画像形成装置において、トナー画像形成手段は、搭載する原稿画像読み取り手段が読み取る原稿の原稿画像の画像データ又は画像データ記憶手段を介した画像データでトナー画像を形成することを特徴とする画像形成装置。
【請求項４】
請求項１、２又は３に記載の画像形成装置において、画像データ記憶ユニットは、装置本体に隣接されて大量の被転写体を供給する大量被転写体供給トレイ内に配置したことを特徴とする画像形成装置。
【請求項５】
請求項１、２、３又は４に記載の画像形成装置において、画像データ記憶ユニットは、装置本体に隣接されて大量の被転写体を供給する大量被転写体供給トレイ内の搬送路の下部周辺に配置したことを特徴とする画像形成装置。
【請求項６】
請求項１、２、３、４又は５に記載の画像形成装置において、画像データ記憶ユニットは、画像データ記憶手段が装着される外ケースを備えることを特徴とする画像形成装置。
【請求項７】
請求項６に記載の画像形成装置において、外ケースは、装着される画像データ記憶手段と着脱解除暗号を連結する外ケース側コネクタを備えることを特徴とする画像形成装置。
【請求項８】
請求項１、２、３、４、５、６又は７に記載の画像形成装置において、画像データ記憶ユニットは、複数個の画像データ記憶手段を装着することを特徴とする画像形成装置。
【請求項９】
請求項１、２、３、４、５、６、７又は８に記載の画像形成装置において、画像データ記憶手段は、画像データ記憶ユニットに装着する内ケースを備えることを特徴とする画像形成装置。
【請求項１０】
請求項９に記載の画像形成装置において、内ケースは、回動する取手を備えることを特徴とする画像形成装置。
【請求項１１】
請求項１０に記載の画像形成装置において、内ケースは、装着する画像データ記憶ユニットと着脱解除暗号を連結する内ケース側コネクタを備えることを特徴とする画像形成装置。
【請求項１２】
請求項１乃至１１の何れか一項に記載の画像形成装置において、画像データ記憶手段は、ハードディスクドライブ装置からなることを特徴とする画像形成装置。
【請求項１３】
請求項１乃至１２の何れか一項に記載の画像形成装置において、画像データ記憶手段は、複数個のハードディスクドライブ装置からなることを特徴とする画像形成装置。
【請求項１４】
請求項１乃至１３の何れか一項に記載の画像形成装置において、着脱禁止手段は、画像データ記憶ユニットに移動可能に保持されたロック部材と、上記ロック部材が挿入されて着脱を禁止する画像データ記憶手段に形成されたロック部材挿入溝と、上記ロック部材挿入溝に対して上記ロック部材を移動する移動機構とからなることを特徴とする画像形成装置。
【請求項１５】
請求項１４に記載の画像形成装置において、移動機構は、ウォームギヤからなることを特徴とする画像形成装置。
【請求項１６】
請求項１乃至１５の何れか一項に記載の画像形成装置において、着脱解除暗号入力手段を、装置本体に配置された操作パネルと兼用することを特徴とする画像形成装置。
【請求項１７】
請求項１６に記載の画像形成装置において、着脱禁止手段は、操作パネルからの着脱解除暗号入力によってのみ、着脱禁止又はその着脱禁止を解除されることを特徴とする画像形成装置。
【請求項１８】
請求項１６又は１７に記載の画像形成装置において、操作パネルから入力する着脱解除暗号は、任意に設定する番号からなることを特徴とする画像形成装置。
【請求項１９】
請求項１６、１７又は１８に記載の画像形成装置において、操作パネルから入力する着脱解除暗号は、変更して設定可能であることを特徴とする画像形成装置。
【請求項２０】
請求項１乃至１９の何れか一項に記載の画像形成装置において、着脱解除暗号入力手段は、画像データ記憶手段のアクセスが終了した後に、着脱禁止手段の着脱禁止を解除することを特徴とする画像形成装置。
【発明の詳細な説明】
【０００１】
【発明の属する技術分野】
本発明は、画像形成装置に関し、詳しくは、画像データを保存したり、又は、その画像データで被転写体にトナー画像を形成する複写機、ファクシミリ装置、プリンタあるいはこれらの複合機等の画像形成装置に関する。
【０００２】
【従来の技術】
従来、画像形成装置の複写機やプリンタ等においては、高品質のトナー画像を形成するコピーやプリントの生産性の向上や、画像データの逐次保存、取り出しのために記憶装置を備えることが一般化しつつある。
その記憶装置としては、ハードディスクドライブ装置（ＨＤＤ）等が最も多く利用されており、複数個使われている例もある。
通常、その記憶装置は、画像形成装置の本体内に固定されているが、画像データのセキュリティ上の問題や、その記憶装置そのものの交換性向上等の理由により、画像形成装置の本体内から取り外し可能に設置されるようにした例も公知である（特開平３−１０５３６５号等の公報を参照）。
然し、その記憶装置のハードディスクドライブ装置（ＨＤＤ）等が、小型化や大容量化がさらに進んで、取り外し可能に設置するメリットは増大するが、取り外しを可能にしたが故に、画像データのセキュリティ上の問題、つまり、その記憶装置が所有者以外の第三者等に持ち出されてしまう、画像データの漏洩と言うような危険性が増大する恐れが生じていた。
又、特に、フリーオペレータ環境という、１台の画像形成装置を何人ものユーザーが使用するような環境では、不慣れなユーザー等の誤操作で、その記憶装置が引き抜かれてしまう危険性も指摘されているように、画像形成装置の本体の電源がＯＮの時やその記憶装置自体が稼働中、あるいは、画像データを送信中に、その記憶装置が不用意に脱着されて、画像形成装置の本体、あるいは、その記憶装置の通信異常やエラーが発生して、画像データが破損や消失して形成される画像品質が低下する恐れも生じていた。
そこで、同一出願人の発明者から、このような着脱可能な記憶装置に、画像形成装置本体からの電源オフ（ＯＦＦ）信号やロック解除ボタンに等より、解除可能なロック機構を設けること等が提案されているが、特に、画像データのセキュリティ上の問題、つまり、その記憶装置が所有者以外の第三者等に持ち出されてしまう恐れが生じていた。
従って、従来の画像形成装置においては、高品質のトナー画像を形成する生産性向上や画像データの逐次保存と取り出しのために使用される画像データを記憶する記憶装置が、所有者以外の第三者や不慣れなユーザー等の誤操作等によって、持ち出されてしまうことによる画像データの漏洩、又は、不用意に脱着されてしまうことによる通信異常やエラーが発生して、画像データの破損や消失で形成される画像品質が低下すると言う不具合が生じていた。
【特許文献１】特開平３−１０５３６５号
【０００３】
【発明が解決しようとする課題】
従来の画像形成装置においては、高品質のトナー画像を形成する生産性向上や画像データの逐次保存と取り出しのために使用される画像データを記憶する記憶装置が、所有者以外の第三者や不慣れなユーザー等の誤操作等によって、持ち出されてしまうことによる画像データの漏洩、又は、不用意に脱着されてしまうことによる通信異常やエラーが発生して、画像データの破損や消失で形成される画像品質が低下すると言う問題が発生していた。
そこで本発明の課題は、このような問題点を解決するものである。即ち、画像データを記憶する画像データ記憶手段の第三者持ち出しや不用意な脱着を簡単な構成で防止して、画像データのセキュリティが維持できて、画像データの破損や消失することなく高品質の画像形成が行われる低コストの画像形成装置を提供することを目的とする。
【０００４】
【課題を解決するための手段】
上記目的を達成するために、請求項１の本発明は、画像データを保存、又は、その画像データで被転写体にトナー画像を形成する画像形成装置において、トナー画像を被転写体に転写してトナー画像を形成するトナー画像形成手段と、上記トナー画像形成手段で形成されるトナー画像の画像データを記憶する着脱可能なユニットからなる画像データ記憶ユニットと、上記画像データ記憶ユニットに装着されて画像データを記憶する画像データ記憶手段と、上記画像データ記憶手段を上記画像データ記憶ユニットに対して解除可能に着脱を禁止する着脱禁止手段と、上記着脱禁止手段の着脱禁止又はその着脱禁止を解除する着脱解除暗号を入力する着脱解除暗号入力手段とからなる画像形成装置であることを最も主要な特徴とする。
請求項２の本発明は、請求項１に記載の画像形成装置において、トナー画像形成手段は、電子写真方法でトナー画像を形成する画像形成装置であることを主要な特徴とする。
請求項３の本発明は、請求項１又は２に記載の画像形成装置において、トナー画像形成手段は、搭載する原稿画像読み取り手段が読み取る原稿の原稿画像の画像データ又は画像データ記憶手段を介した画像データでトナー画像を形成する画像形成装置であることを主要な特徴とする。
請求項４の本発明は、請求項１、２又は３に記載の画像形成装置において、画像データ記憶ユニットは、装置本体に隣接されて大量の被転写体を供給する大量被転写体供給トレイ内に配置した画像形成装置であることを主要な特徴とする。
請求項５の本発明は、請求項１、２、３又は４に記載の画像形成装置において、画像データ記憶ユニットは、装置本体に隣接されて大量の被転写体を供給する大量被転写体供給トレイ内の搬送路の下部周辺に配置した画像形成装置であることを主要な特徴とする。
請求項６の本発明は、請求項１、２、３、４又は５に記載の画像形成装置において、画像データ記憶ユニットは、画像データ記憶手段が装着される外ケースとからなる画像形成装置であることを主要な特徴とする。
請求項７の本発明は、請求項６に記載の画像形成装置において、外ケースは、装着される画像データ記憶手段と着脱解除暗号を連結する外ケース側コネクタとからなる画像形成装置であることを主要な特徴とする。
請求項８の本発明は、請求項１、２、３、４、５、６又は７に記載の画像形成装置において、画像データ記憶ユニットは、複数個の画像データ記憶手段を装着する画像形成装置であることを主要な特徴とする。
【０００５】
請求項９の本発明は、請求項１、２、３、４、５、６、７又は８に記載の画像形成装置において、画像データ記憶手段は、画像データ記憶ユニットに装着する内ケースとからなる画像形成装置であることを主要な特徴とする。
請求項１０の本発明は、請求項９に記載の画像形成装置において、内ケースは、回動する取手とからなる画像形成装置であることを主要な特徴とする。
請求項１１の本発明は、請求項１０に記載の画像形成装置において、内ケースは、装着する画像データ記憶記憶ユニットと着脱解除暗号を連結する内ケース側コネクタとからなる画像形成装置であることを主要な特徴とする。
請求項１２の本発明は、請求項１乃至１１の何れか一項に記載の画像形成装置において、画像データ記憶手段は、ハードディスクドライブ装置からなる画像形成装置であることを主要な特徴とする。
請求項１３の本発明は、請求項１乃至１２の何れか一項に記載の画像形成装置において、画像データ記憶手段は、複数個のハードディスクドライブ装置からなる画像形成装置であることを主要な特徴とする。
請求項１４の本発明は、請求項１乃至１３の何れか一項に記載の画像形成装置において、着脱禁止手段は、画像データ記憶ユニットに移動可能に保持されたロック部材と、上記ロック部材が挿入されて着脱を禁止する画像データ記憶手段に形成されたロック部材挿入溝と、上記ロック部材挿入溝に対して上記ロック部材を移動する移動機構とからなる画像形成装置であることを主要な特徴とする。
【０００６】
請求項１５の本発明は、請求項１４に記載の画像形成装置において、移動機構は、ウォームギヤからなる画像形成装置であることを主要な特徴とする。
請求項１６の本発明は、請求項１乃至１５の何れか一項に記載の画像形成装置において、着脱解除暗号入力手段は、装置本体に配置された操作パネルと兼用する画像形成装置であることを主要な特徴とする。
請求項１７の本発明は、請求項１６に記載の画像形成装置において、着脱禁止手段は、操作パネルからの着脱解除暗号入力によってのみ、着脱禁止又はその着脱禁止を解除する画像形成装置であることを主要な特徴とする。
請求項１８の本発明は、請求項１６又は１７に記載の画像形成装置において、操作パネルから入力する着脱解除暗号は、任意に設定する番号からなる画像形成装置であることを主要な特徴とする。
請求項１９の本発明は、請求項１６、１７又は１８に記載の画像形成装置において、操作パネルから入力する着脱解除暗号は、変更して設定する画像形成装置であることを主要な特徴とする。
請求項２０の本発明は、請求項１乃至１９の何れか一項に記載の画像形成装置において、着脱解除暗号入力手段は、画像データ記憶手段のアクセスが終了した後に、着脱禁止手段の着脱禁止を解除する画像形成装置であることを主要な特徴とする。
【０００７】
【作用】
上記のように構成された画像形成装置は、請求項１においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力する。
請求項２においては、電子写真方法でトナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力する。
請求項３においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共にトナー画像形成手段は搭載する原稿画像読み取り手段が読み取る原稿の原稿画像の画像データ又は画像データ記憶手段を介した画像データでトナー画像を形成する。
請求項４においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶ユニットは装置本体に隣接されて大量の被転写体を供給する大量被転写体供給トレイ内に配置する。
【０００８】
請求項５においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶ユニットは装置本体に隣接されて大量の被転写体を供給する大量被転写体供給トレイ内の搬送路の下部周辺に配置する。
請求項６においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶ユニットは画像データ記憶手段が装着される外ケースとからなる。
請求項７においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶ユニットは画像データ記憶手段が装着される外ケースとからなり、外ケースは装着される画像データ記憶手段と外ケース側コネクタによって着脱解除暗号を連結する。
【０００９】
請求項８においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する複数個の画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力する。
請求項９においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶手段は画像データ記憶ユニットに装着する内ケースとからなる。
請求項１０においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶手段は画像データ記憶ユニットに装着する回動する取手とからなる内ケースとからなる。
【００１０】
請求項１１においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に画像データ記憶手段は画像データ記憶ユニットに装着する回動する取手とからなる内ケースとからなり、内ケースは内ケース側コネクタによって装着する画像データ記憶ユニットと着脱解除暗号を連結する。
請求項１２においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段のハードディスクドライブ装置を、画像データ記憶ユニットに対して解除可能に着脱を禁止する着脱禁止手段の着脱禁止又はその着脱禁止を解除する着脱解除暗号を、着脱解除暗号入力手段で入力する。
請求項１３においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段の複数個のハードディスクドライブ装置を、画像データ記憶ユニットに対して解除可能に着脱を禁止する着脱禁止手段の着脱禁止又はその着脱禁止を解除する着脱解除暗号を、着脱解除暗号入力手段で入力する。
請求項１４においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に着脱禁止手段は画像データ記憶ユニットに移動可能に保持されたロック部材とロック部材が挿入されて着脱を禁止する画像データ記憶手段に形成されたロック部材挿入溝とロック部材挿入溝に対してロック部材を移動する移動機構とからなる。
【００１１】
請求項１５においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に着脱禁止手段は画像データ記憶ユニットに移動可能に保持されたロック部材とロック部材が挿入されて着脱を禁止する画像データ記憶手段に形成されたロック部材挿入溝とロック部材挿入溝に対してロック部材を移動するウォームギヤからなる移動機構とからなる。
請求項１６においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、装置本体に配置された操作パネルと兼用する着脱解除暗号入力手段で入力する。
請求項１７においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、装置本体に配置された操作パネルと兼用する着脱解除暗号入力手段からの着脱解除暗号入力によってのみ着脱禁止又はその着脱禁止を解除するようにする。
【００１２】
請求項１８においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、装置本体に配置された操作パネルと兼用する着脱解除暗号入力手段で入力すると共に操作パネルから入力する着脱解除暗号は任意に設定する番号からなる。
請求項１９においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、装置本体に配置された操作パネルと兼用する着脱解除暗号入力手段で入力すると共に操作パネルから入力する着脱解除暗号は変更して設定する。
請求項２０においては、トナー画像を被転写体に転写してトナー画像を形成するトナー画像形成手段で形成されるトナー画像の画像データを記憶する着脱可能なユニットからなる画像データ記憶ユニットに装着されて画像データを記憶する画像データ記憶手段を、画像データ記憶ユニットに対して解除可能に着脱を禁止する着脱禁止手段の着脱禁止又はその着脱禁止を解除する着脱解除暗号を、着脱解除暗号入力手段で入力すると共に着脱解除暗号入力手段は画像データ記憶手段のアクセスが終了した後に着脱禁止手段の着脱禁止を解除する。
【００１３】
【発明の実施の形態】
次に、本発明の実施の形態を図面を参照して詳細に説明する。
図１において、画像データを保存、又は、その画像データで被転写体にトナー画像を形成する画像形成装置０は、トナー画像を被転写体（Ｐ）の転写用紙に転写してトナー画像を形成するトナー画像形成手段１と、上記トナー画像形成手段１で形成されるトナー画像の画像データを記憶する着脱可能なユニットからなる画像データ記憶ユニット２と、上記画像データ記憶ユニット２に装着されて画像データを記憶する画像データ記憶手段３のハードディスクドライブ装置（ＨＤＤ）３ｃと、上記画像データ記憶手段３の上記ハードディスクドライブ装置（ＨＤＤ）３ｃを上記画像データ記憶ユニット２に対して解除可能に着脱を禁止する着脱禁止手段４と、上記着脱禁止手段４の着脱禁止、又は、その着脱禁止を解除する着脱解除暗号を入力する着脱解除暗号入力手段５とからなり、画像データを記憶する上記画像データ記憶手段３の第三者の持ち出しや不用意な脱着を簡単な構成で防止して、画像データのセキュリティが維持できて、画像データの破損や消失することなく高品質の画像形成が行われ低コストである。
上記画像形成装置０は、装置本体０ａに隣接して、上部には原稿（０）の原稿画像を読み取る原稿画像読み取り手段６のスキャナ６ａと自動原稿供給装置（ＡＤＦ）６ｂが配置され、左右には大量被転写体供給トレイ７と上記トナー画像形成手段１で形成されたトナー画像形成後の後処理を行う後処理装置８等か配置されている。
トナー画像が形成される被転写体（Ｐ）の転写用紙の搬送経路は、図示の太線で図示の様になっており、上記本体０ａ内の給紙部１ａの給紙第１トレイ１ａ１、給紙第２トレイ１ａ２、給紙第３トレイ１ａ３、あるいは、上記大量被転写体供給トレイ７の給紙部７ｂの各給紙第４トレイ７ｂ１、給紙第５トレイ７ｂ２、給紙第６トレイ７ｂ３から送り出され、上記トナー画像形成手段１で画像データによるトナー画像が形成された後に、所定の経路を通って、上記後処理装置８から排出されるようになっている。
上記トナー画像形成手段１は、上記原稿画像読み取り手段６の上記スキャナ６ａと上記自動原稿供給装置（ＡＤＦ）６ｂで原稿（０）の原稿画像の画像データを読み取り、その画像データで高品質のトナー画像を形成する電子写真方法による、書込部１ｂのレーザーダイオードを発光させることにより、像担持体１ｃのドラム形状の感光体ドラム上に静電潜像を形成し、現像部１ｄでトナー像を形成し、そのトナー画像を転写部１ｅで被転写体（Ｐ）に転写し、定着部１ｆにて加熱・加圧後に、排紙ローラ１ｇによりトナー画像が形成された被転写体（Ｐ）を上記後処理装置８へ送り出した後に、所定の後処理が施されて収納されるようになっている。
又、両面部１ｉを経由する事により、被転写体（Ｐ）の裏面への画像形成も可能となっている。
上記画像形成装置０において、大容量の画像データを記憶する上記画像データ記憶手段３である複数個のハードディスクドライブ装置（ＨＤＤ１）３ｃ１とハードディスクドライブ装置（ＨＤＤ２）３ｃ２が装着される上記画像データ記憶ユニット２は、比較的に空間的余裕を有する上記装置本体０ａに隣接されて大量の被転写体（Ｐ）を供給する上記大量被転写体供給トレイ７内の搬送路７ａの下部周辺に配置されているから、装置全体が、更に、小型でレイアウト設計時の自由度も増加するので有利である。
【００１４】
図２において、上記画像形成装置０における、上記着脱解除暗号入力手段５は、操作パネル０ｂと兼用するから低コストである。
上記着脱解除暗号入力手段５を兼用する上記操作パネル０ｂは、上記着脱禁止手段４の着脱禁止、又は、その着脱禁止を解除する着脱解除暗号を入力する着脱解除暗号入力キー５ａ、ランプの色や点滅により画像形成の状態を表示する状態表示ランプ０ｂ１、トナー画像を形成する被転写体（Ｐ）の枚数やモードを設定するとともに、操作の状態やメッセージを表示する表示画面０ｂ２、上記表示画面０ｂ２の表示言語を日本語、又は、英語に切り替える言語切り替えキー０ｂ３、約１秒以上押すと予熱の状態となり予熱状態のとき押すと予熱が解除される予熱キー０ｂ４、設定した内容を取り消すリセットキー０ｂ５、入力した数値を取り消すクリアキー０ｂ６、数値や指定を確定するエンターキー０ｂ７、着脱解除暗号の番号等の数値を入力するテンキー０ｂ８、トータルカウンターを表示するカウンターキー０ｂ９、使用条件に合わせて初期設定値や操作条件を変更する初期設定キー０ｂ１０等が配置されている。
図３において、上記原稿画像読み取り手段６である上記スキャナ６ａのＣＣＤ６ａ１で読み取った原稿（Ｏ）の原稿画像の画像データは画像系メインボード（ＳＩＣＵ）１ｂ１に入り、所定の画像処理をされた後、レーザダイオードボード（ＬＤＢ）１ｂ２へ送られて４チャンネルレーザーダイオードアレイのレーザ発光体１ｂ２１が発光する。
同時にその画像データは、上記画像データ記憶ユニット２に複数個が装着されて大容量の画像データを記憶する上記画像データ記憶手段３である上記ハードディスクドライブ装置（ＨＤＤ１）３ｃ１、又は、上記ハードディスクドライブ装置（ＨＤＤ２）３ｃ２に蓄積され、複数部の被転写体（Ｐ）への画像形成時等に利用されるようになっている。
又、原稿（Ｏ）の原稿画像の読み取りだけをしておいて、被転写体（Ｐ）への画像形成は後で行うような読み取りモード時には、画像データは上記画像系メインボード（ＳＩＣＵ）１ｂ１から上記画像データ記憶手段３である上記ハードディスクドライブ装置（ＨＤＤ１）３ｃ１、又は、上記ハードディスクドライブ装置（ＨＤＤ２）３ｃ２に直接送られて蓄積されるようになっている。
【００１５】
図４乃至図６において、上記画像データ記憶ユニット２の外ケース２ａに装着されている上記画像データ記憶手段３の上記ハードディスクドライブ装置（ＨＤＤ）３ｃを有する内ケース３ａに図示の矢印（Ａ）方向に回動する取手３ｄが取り付けられている（図４と図６を参照）。
従って、上記取手３ｄを図示の矢印（Ａ）方向に回動して、図示の矢印（Ｂ）方向に引き出すことにより、上記画像データ記憶手段３の上記ハードディスクドライブ装置（ＨＤＤ）３ｃを上記内ケース３ａごと、上記画像データ記憶ユニット２の上記外ケース２ａから容易に装着又は取り外されるようになっている。
上記内ケース３ａの上面には、蓋部材３ｅが開閉可能に取り付けられ、上記蓋部材３ｅを取り外して上記ハードディスクドライブ装置（ＨＤＤ）３ｃを上記内ケース３ａから取出すようになっている（図６を参照）。
又、上記内ケース３ａには、上記ハードディスクドライブ装置（ＨＤＤ）３ｃとつながっている内ケース側コネクタ３ｂが設けられており、上記外ケース２ａへの装着時、上記外ケース２ａの内側に設けられている外ケース側コネクタ２ｂと簡単な構成で容易に連結するようになっている（図５と図６を参照）。
上記内ケース３ａには、上記着脱禁止手段４のロック部材挿入溝４ｂが設けられており、相対する上記外ケース２ａには上記着脱禁止手段４の図示の矢印（Ｃ）方向に移動可能に保持されたロック部材４ａが設けられている（図５と図６を参照）。
図７において、上記着脱禁止手段４の移動機構４ｃは、移動モータ４ｃ２の出力軸に設けられているウォームギヤ４ｃ１は、上記ロック部材４ａと一体になっているラック部材４ｃ３と噛み合って、上記ロック部材４ａの逆動を防止して移動する駆動力を伝達するようになっている。
上記移動モータ４ｃ２が図示の矢印（Ｄ）方向の正転方向に回動すると、上記ロック部材４ａはガイド部材４ｃ４に沿って図示の矢印（Ｅ）方向の上記内ケース３ａ側に移動する。
上記移動モータ４ｃ２が図示の矢印（Ｆ）方向の逆転方向に回動すると、上記ロック部材４ａは上記ガイド部材４ｃ４に沿って図示の矢印（Ｇ）方向の上記内ケース３ａ側から解除する方向に移動する。
従って、上記着脱禁止手段４は、簡単な構成で、上記画像データ記憶手段３を上記画像データ記憶ユニット２に対して解除可能に確実に着脱を禁止するようになっている。
【００１６】
図８において、上記画像形成装置０における制御手段０ｃは、上記画像系メインボード（ＳＩＣＵ）１ｂ１と画像系以外を制御するメインボード９等から構成されている。
上記画像系メインボード（ＳＩＣＵ）１ｂ１にはセンサーボードユニット（ＳＢＵ）６ａ２、レーザダイオードボード（ＬＤＢ）１ｂ２、上記画像データ記憶ユニット２に装着された上記画像データ記憶手段３である上記ハードディスクドライブ装置（ＨＤＤ１）３ｃ１と上記ハードディスクドライブ装置（ＨＤＤ２）３ｃ２に接続されている。
又、画像系以外を制御する上記メインボード９には、上記着脱解除暗号入力手段５を兼用する上記操作パネル０ｂ、メモリ１０、上記着脱禁止手段４である上記移動機構４ｃの上記移動モータ４ｃ２が接続されている。
図９において、上記制御手段０ｃによって、次のように、上記着脱禁止手段４の上記ロック部材４ａの移動、又は、移動の禁止を行うから、画像データを記憶する上記画像データ記憶手段３の第三者持ち出しや不用意な脱着を簡単な構成で防止して、画像データのセキュリティが維持できて、画像データを破損や消失することなく高品質の画像形成が行われる低コストの上記画像形成装置０を提供することができるようになった。
上記着脱解除暗号入力手段５を兼用する上記操作パネル０ｂの上記着脱解除暗号入力キー５ａをオン（ＯＮ）して上記テンキー０ｂ８から着脱解除暗号の番号の数値を入力して（ステップ１０１）、上記メモリ１０上に登録されている着脱解除暗号の番号の数値を呼び出して（ステップ１０２）、上記着脱解除暗号入力手段５を兼用する上記操作パネル０ｂの上記着脱解除暗号入力キー５ａをオン（ＯＮ）して上記テンキー０ｂ８から入力した着脱解除暗号の番号の数値と上記メモリ１０から呼び出した登録された着脱解除暗号の番号の数値との照合を行って（ステップ１０３）、上記テンキー０ｂ８から入力した着脱解除暗号の番号の数値と上記メモリ１０から呼び出した登録された着脱解除暗号の番号の数値が同じ値と認識されなければ、上記ロック部材４ａを解除位置に移動させることなくエンドで終了するが、上記テンキー０ｂ８から入力した着脱解除暗号の番号の数値と上記メモリ１０から呼び出した登録された着脱解除暗号の番号の数値が同じ値と認識されると、上記移動モータ４ｃ２を逆転させて上記ロック部材４ａを解除位置に移動させて（ステップ１０４）、エンドで終了する。
【００１７】
図１０において、上記制御手段０ｃによって、次のように、上記着脱禁止手段４の上記ロック部材４ａの移動、又は、移動の禁止を行う着脱解除暗号を番号の数値を容易に任意に設定できるので任意の期間で着脱解除暗号の番号の数値を容易に変更出来るから、画像データを記憶する上記画像データ記憶手段３の第三者持ち出しや不用意な脱着を簡単な構成で容易に確実に防止して、画像データのセキュリティが維持できて、画像データの破損や消失することなく高品質の画像形成が行われる低コストの上記画像形成装置０を提供することができるようになった。
上記着脱解除暗号入力手段５を兼用する上記操作パネル０ｂの上記着脱解除暗号入力キー５ａをオン（ＯＮ）して新たな着脱解除暗号の入力モードにして（ステップ２０１）、上記テンキー０ｂ８から新しい着脱解除暗号の番号の数値を入力して（ステップ２０２）、入力された新しい着脱解除暗号の番号の数値を上記メモリ１０に登録して格納されて（ステップ２０３）、エンドで終了する。
図１１において、上記制御手段０ｃによって、次のように、上記着脱解除暗号入力手段５は、上記画像データ記憶手段３のアクセスが終了した後に、上記着脱禁止手段４の着脱禁止を解除するから、画像データを記憶する上記画像データ記憶手段３の第三者持ち出しや不用意な脱着を簡単な構成で容易に確実に防止して、画像データのセキュリティが維持できて、画像データの破損や消失を確実に防止して更に高品質の画像形成が行われる低コストの上記画像形成装置０を提供することができるようになった。
上記着脱解除暗号入力手段５を兼用する上記操作パネル０ｂの上記着脱解除暗号入力キー５ａをオン（ＯＮ）して上記テンキー０ｂ８から着脱解除暗号の番号の数値を入力して（ステップ３０１）、上記メモリ１０上に登録されている着脱解除暗号の番号の数値を呼び出して（ステップ３０２）、上記着脱解除暗号入力手段５を兼用する上記操作パネル０ｂの上記着脱解除暗号入力キー５ａをオン（ＯＮ）して上記テンキー０ｂ８から入力した着脱解除暗号の番号の数値と上記メモリ１０から呼び出した登録された着脱解除暗号の番号の数値との照合を行って（ステップ３０３）、上記テンキー０ｂ８から入力した着脱解除暗号の番号の数値と上記メモリ１０から呼び出した登録された着脱解除暗号の番号の数値が同じ値と認識されなければ、上記ロック部材４ａを解除位置に移動させることなくエンドで終了するが、上記テンキー０ｂ８から入力した着脱解除暗号の番号の数値と上記メモリ１０から呼び出した登録された着脱解除暗号の番号の数値が同じ値と認識されると、上記画像データ記憶手段３のアクセス終了まで待ち、上記画像データ記憶手段３のアクセスが終了した後に（ステップ３０４）、上記移動モータ４ｃ２を逆転させて上記ロック部材４ａを解除位置に移動させて（ステップ３０５）、エンドで終了する。
【００１８】
図１２において、上記制御手段０ｃによって、次のように、上記画像データ記憶ユニット２から上記画像データ記憶手段３を取り外したまま電源をオン（ＯＮ）した場合でも正常な状態に復帰するから、画像データを記憶する上記画像データ記憶手段３の第三者持ち出しや不用意な脱着を簡単な構成で容易に防止して、画像データのセキュリティが維持できて、画像データの破損や消失をすることなく高品質の画像形成が行われる低コストの上記画像形成装置０を提供することができるようになった。
電源をオン（ＯＮ）して（ステップ４０１）、上記画像データ記憶ユニット２に上記画像データ記憶手段３が装着済かを判断して（ステップ４０２）、上記画像データ記憶ユニット２から上記画像データ記憶手段３を取り外したままの場合は、上記着脱解除暗号入力手段５を兼用する上記操作パネル０ｂの上記表示画面０ｂ２上に上記画像データ記憶手段３の装着を指示するメッセージを警告表示して（ステップ４０３）、上記移動モータ４ｃ２を逆転させて上記ロック部材４ａを解除位置に移動させて（ステップ４０４）、上記画像データ記憶ユニット２に上記画像データ記憶手段３が装着済を認識した後に上記移動モータ４ｃ２を正転させて上記ロック部材４ａを解除禁止位置に移動させてロックを行って正常な状態に復帰して（ステップ４０５）、エンドで終了する。
【００１９】
【発明の効果】
本発明は、以上説明したように構成されているので、請求項１の発明によれば、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項２の発明によれば、画像データを記憶する画像データ記憶手段の第三者持ち出しや不用意な脱着を簡単な構成で防止して、画像データのセキュリティが維持できて、画像データの破損や消失することなく高品質の画像形成が行われる低コストの画像形成装置を提供することが出来るようになった。
請求項３の発明によれば、読み取った原稿の原稿画像の画像データで被転写体の転写用紙への画像形成又は原稿の原稿画像の読み取りだけしておいて被転写体への画像形成は後で行うことも出来るようになり、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項４の発明によれば、装置全体が小型でレイアウト設計時の自由度も増加する、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
【００２０】
請求項５の発明によれば、装置全体が更に小型でレイアウト設計時の自由度も増加する、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項６の発明によれば、画像データ記憶手段の装着又は取り外しが容易に行われるが、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項７の発明によれば、画像データ記憶手段の装着又は取り外しや着脱解除暗号の連結が容易に行われるが、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項８の発明によれば、画像データを大容量を記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項９の発明によれば、画像データ記憶手段の装着又は取り外しが容易に行われるが、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
【００２１】
請求項１０の発明によれば、画像データ記憶手段の装着又は取り外しが更に容易に行われるが、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項１１の発明によれば、画像データ記憶手段の装着又は取り外しや着脱解除暗号の連結が更に容易に行われるが、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項１２の発明によれば、画像データを記憶する画像データ記憶手段のハードディスクドライブ装置の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項１３の発明によれば、画像データを大容量を記憶する画像データ記憶手段のハードディスクドライブ装置の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項１４の発明によれば、着脱禁止手段は簡単な構成で画像データ記憶手段を画像データ記憶ユニットに対して解除可能に確実に着脱を禁止するようになっていて、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
請求項１５の発明によれば、着脱禁止手段は簡単な構成で画像データ記憶手段を画像データ記憶ユニットに対して解除可能に、逆動を防止して更に確実に着脱を禁止するようになっていて、画像データを記憶する画像データ記憶手段の第三者持ち出しや不用意な脱着を簡単な構成で防止して、画像データのセキュリティが維持できて、画像データの破損や消失することなく画像形成が行われる低コストの画像形成装置を提供することが出来るようになった。
【００２２】
請求項１６の発明によれば、画像データを記憶する画像データ記憶手段の第三者持ち出しや不用意な脱着を簡単な構成で防止して、画像データのセキュリティが維持できて、画像データの破損や消失することなく画像形成が行われる更に低コストの画像形成装置を提供することが出来るようになった。
請求項１７の発明によれば、画像データを記憶する画像データ記憶手段の第三者持ち出しや不用意な脱着を更に簡単な構成で防止して、画像データのセキュリティが維持できて、画像データの破損や消失することなく画像形成が行われる更に低コストの画像形成装置を提供することが出来るようになった。
請求項１８の発明によれば、画像データを記憶する画像データ記憶手段の第三者持ち出しや不用意な脱着を簡単な構成で着脱解除暗号を容易な設定で確実に防止して、画像データのセキュリティが維持できて、画像データの破損や消失することなく画像形成が行われる更に低コストの画像形成装置を提供することが出来るようになった。
請求項１９の発明によれば、画像データを記憶する画像データ記憶手段の第三者持ち出しや不用意な脱着を簡単な構成で着脱解除暗号の容易な変更で確実に防止して、画像データのセキュリティが維持できて、画像データの破損や消失することなく画像形成が行われる更に低コストの画像形成装置を提供することが出来るようになった。
請求項２０の発明によれば、着脱解除暗号入力手段は画像データ記憶手段のアクセスが終了した後に着脱禁止手段の着脱禁止を解除するから、画像データを記憶する画像データ記憶手段の第三者持ち出しや不用意な脱着を簡単な構成で容易に確実に防止して、画像データのセキュリティが維持できて、画像データの破損や消失を確実に防止して更に高品質の画像形成が行われる低コストの画像形成装置を提供することが出来るようになった。
【図面の簡単な説明】
【図１】本発明の実施の形態例を示す画像形成装置を説明する説明図である。
【図２】本発明の実施の形態例を示す画像形成装置の主要部を説明する拡大図である。
【図３】本発明の実施の形態例を示す画像形成装置の他の主要部を説明するブロック図である。
【図４】本発明の実施の形態例を示す画像形成装置の他の主要部を説明する拡大斜視図である。
【図５】本発明の実施の形態例を示す画像形成装置の他の主要部を説明する拡大斜視図である。
【図６】本発明の実施の形態例を示す画像形成装置の他の主要部を説明する拡大斜視図である。
【図７】本発明の実施の形態例を示す画像形成装置の他の主要部を説明する拡大斜視図である。
【図８】本発明の実施の形態例を示す画像形成装置の他の主要部を説明するブロック図である。
【図９】本発明の実施の形態例を示す画像形成装置の他の主要部の動作を説明するフローチャートである。
【図１０】本発明の実施の形態例を示す画像形成装置の他の主要部の動作を説明するフローチャートである。
【図１１】本発明の実施の形態例を示す画像形成装置の他の主要部の動作を説明するフローチャートである。
【図１２】本発明の実施の形態例を示す画像形成装置の他の主要部の動作を説明するフローチャートである。
【符号の説明】
０　画像形成装置、０ａ　装置本体、
０ｂ　操作パネル、０ｂ１　状態表示ランプ、
０ｂ２　表示画面、
０ｂ３　言語切り替えキー、
０ｂ４　予熱キー、
０ｂ５　リセットキー、
０ｂ６　クリアキー、
０ｂ７　エンターキー、
０ｂ８　テンキー、
０ｂ８　カウンターキー、
０ｂ１０　初期設定キー、
０ｃ　制御手段
１　トナー画像形成手段、１ａ　給紙部、１ａ１　給紙第１トレイ、
１ａ２　給紙第２トレイ、
１ａ３　給紙第３トレイ、
１ｂ　書込部、
１ｂ１　画像系メインボード（ＳＩＣＵ）、
１ｂ２　レーザダイオードボード（ＬＤＢ）、
１ｂ２１　レーザ発光体、
１ｃ　像担持体、
１ｄ　現像部、
１ｅ　転写部、
１ｆ　定着部、
１ｇ　排紙ローラ、
１ｉ　両面部
２　画像データ記憶ユニット、２ａ　外ケース、
２ｂ　外ケース側コネクタ
３　画像データ記憶手段、３ａ　内ケース、
３ｂ　内ケース側コネクタ、
３ｃ　ハードディスクドライブ装置（ＨＤＤ）、
３ｃ１　ハードディスクドライブ装置（ＨＤＤ１）、
３ｃ２　ハードディスクドライブ装置（ＨＤＤ２）、
３ｄ　取手、
３ｅ　蓋
４　着脱禁止手段、４ａ　ロック部材、
４ｂ　ロック部材挿入溝、
４ｃ　移動機構、
４ｃ１　ウォームギヤ、
４ｃ２　移動モータ、
４ｃ３　ラック部材、
４ｃ４　ガイド部材
５　着脱解除暗号入力手段、５ａ　着脱解除暗号入力キー
６　原稿画像読み取り手段、６ａ　スキャナ、
６ａ１　ＣＣＤ、
６ａ２　センサーボードユニット（ＳＢＵ）、
６ｂ　自動原稿供給装置（ＡＤＦ）
７　大量被転写体供給トレイ、７ａ　搬送路、
７ｂ　給紙部、
７ｂ１　給紙第４トレイ、
７ｂ２　給紙第５トレイ、
７ｂ３　給紙第６トレイ
８　後処理装置
９　メインボード
１０　メモリ
【図１】
2004106207.tif 000003
【図２】
2004106207.tif 000004
【図３】
2004106207.tif 000005
【図４】
2004106207.tif 000006
【図５】
2004106207.tif 000007
【図６】
2004106207.tif 000008
【図７】
2004106207.tif 000009
【図８】
2004106207.tif 000010
【図９】
2004106207.tif 000011
【図１０】
2004106207.tif 000012
【図１１】
2004106207.tif 000013
【図１２】
2004106207.tif 000014